(57)【特許請求の範囲】
【請求項１】
画像形成後に用紙搬送ユニットから排出されて落下する用紙を順次積載する排紙台を有する画像形成装置において、
前記排紙台に積載された用紙が所定枚数に達したときその所定枚数目の用紙を保持する保持手段と、
前記保持手段を駆動源で駆動して用紙の排出方向および反排出方向に一定量移動させるスライド手段と、前記保持手段を駆動源で駆動して上下方向に移動させる昇降手段とを備える移動手段と、
前記昇降手段に駆動された前記保持手段が下方に移動する過程で用紙に当接したことを検知する用紙検知手段と、
を備え、前記駆動源を駆動制御することで、前記保持手段を用紙の排出方向に移動させて前記用紙検知手段が用紙への当接を検知するまで前記保持手段を下方に移動させ、その位置で前記保持手段に最上位の用紙を保持させた状態で当該保持手段を用紙の反排出方向に移動させて保持させた用紙が他の用紙から分離されて重なる位置に位置付け、最上位の用紙の上に次の用紙が載置された後、当該分離される位置で前記保持手段による最上位の用紙の保持を解除させるようにした、ことを特徴とする排紙仕分け装置。
【請求項２】
排紙台に積載された状態の所定枚数目の用紙の表面に当接する当接手段と、用紙を前記当接手段に吸着させる吸引手段とからなる保持手段を設けたことを特徴とする請求項１記載の排紙仕分け装置。
【請求項３】
排紙台に積載された状態の所定枚数目の用紙の表面を引っ掛ける掛止部を一箇所以上有する弾性部材による引っ掛け手段と、前記引っ掛け手段を支持し移動手段に固定する支持部材とからなる保持手段を設けたことを特徴とする請求項１記載の排紙仕分け装置。
【請求項４】
排紙台に積載された状態の所定枚数目の用紙の表面を引っ掛ける掛止部を一箇所以上有する剛性部材による引っ掛け手段と、前記引っ掛け手段を用紙の表面に押し付ける方向に付勢するバネ部材と、前記引っ掛け手段を移動手段に対して回動自在に支持する支持部材とからなる保持手段を設けたことを特徴とする請求項１記載の排紙仕分け装置。
【請求項５】
引っ掛け手段が支持部材に着脱自在である保持手段を設けたことを特徴とする請求項３記載の排紙仕分け装置。
【請求項６】
用紙が仕分けされたら掛止部から用紙を離す解除手段を備えた保持手段を設けたことを特徴とする請求項３記載の排紙仕分け装置。
【発明の詳細な説明】
【０００１】
【発明の属する技術分野】
本発明は、印刷機や複写機などの画像形成装置において用紙を仕分けする排紙仕分け装置に関し、特に、用紙の両サイドをガイドして用紙をＵ型に積載する排紙台を持つ印刷機に有効な排紙仕分け装置に関する。
【０００２】
【従来の技術】
従来の印刷機や複写機などの画像形成装置における排紙仕分け装置について、図１７ないし図２０を用いて説明する。従来の排紙仕分け装置には、例えば、図１７に示すような、特開平７−１０１６１５号公報記載の「排紙スタッカ装置」のようなものがある。この排紙スタッカ装置１は、用紙２が積載される排紙台３を、所定枚数の用紙２が排出される度に、図１７に矢印で示される排紙方向に直交する方向すなわち用紙２の幅方向に往復移動させ、こうすることにより、排出された用紙２を、所定枚数ごとに幅方向にずらして重ねていくというものである。さらに、これと同様の効果をねらう排紙仕分け装置には、排紙台３を移動させるのではなく、用紙２の排出位置を、所定枚数ごとに幅方向に移動させて、用紙２を排出させ積載させるものがある。
【０００３】
また、上記の排紙スタッカ装置１と類似する効果を持つものでは、排紙台３を幅方向に往復移動させるのではなく、特公平６−７８１５１号公報記載の「区分け装置」のように、用紙が積載される排紙台を、所定枚数の用紙が排出される度に、９０度回転させるものがある。これは、排紙台の向きを変えることによって、排紙台に積載される用紙が、所定枚数ごとに互い違いに重ねられていくものである。
【０００４】
また、孔版印刷機など一般的な事務用印刷機における排紙積載装置４は、図１９のように、用紙搬送ユニット５には用紙２の側縁部を隆起させるジャンプ板５ａを有し、用紙２の中央部がその側縁部に対して下方にＵ字型に撓んで湾曲するように腰付けされ、排出された用紙２の両サイドを二枚のサイドフェンス６により支持し、用紙２をＵ型にたわませて収納するものである。このような排紙積載装置４には、上記のような、用紙２を幅方向にずらして重ねてゆくものは使用できないので、仕分けする際には、所定枚数ごとに印刷機を停止させ、作業者が目印用のテープ７を用紙２に置く作業を繰り返している。
【０００５】
或いは、上記の作業を自動化したものに、特開平７−１７２２号公報記載の「印刷機用テープ打ち出し装置」がある。これは、仕分け状況の情報などを打ち出したテープを、所定枚数の用紙が排出される度に送り出し、用紙の所定枚数ごとに挾み込んでゆくものである。
【０００６】
また、所定枚数ごとに別の場所に排出するソーター装置８は、図２０のように、用紙搬送ユニット５から排出された用紙２を、複数の排紙トレー９に分けて送り、排紙トレー９ごとに用紙２を仕分けするというものである。
【０００７】
【発明が解決しようとする課題】
上記の「排紙スタッカ装置」など用紙を幅方向にずらして積載させるものは、図１８のように、用紙の仕分けされた境目が明確にならないことがある。また、上記の「区分け装置」のように用紙の積載方向を直交させて仕分けするものは、排紙台のいずれの辺の長さも、所定の用紙の長手方向の長さ以上にしなければならないため、装置が大型化して重量が増える。また、排紙台を回転させるため、構成が複雑になり、高価になる。また、これらの装置は、図１９のような、孔版印刷機など用紙の両サイドをガイドしてＵ型に積載するものには使用できない。
【０００８】
用紙をＵ型に積載するものでは、目印用のテープを用紙に置く作業だけでなく、取り除く作業も必要であり、非能率的である。また、これを自動で行う上記の「印刷機用テープ打ち出し装置」は、テープの送り出しと用紙の排出とのタイミングが合わないことがあるため、必ずしも円滑で確実な仕分けが実現できず、信頼性に乏しい。そして、テープを取り除く作業が必要であり、やはり非能率的である。
【０００９】
複数の排紙トレーに仕分けするソーター装置は、装置自体が大型で高価であり、画像形成装置から分けられオプション扱いされがちである。さらに、画像形成装置並の占有面積を要し、一般事務用としては、広く採用されていないのが現状である。
【００１０】
【課題を解決するための手段】
請求項１の発明は、画像形成後に用紙搬送ユニットから排出されて落下する用紙を順次積載する排紙台を有する画像形成装置において、前記排紙台に積載された用紙が所定枚数に達したときその所定枚数目の用紙を保持する保持手段と、前記保持手段を駆動源で駆動して用紙の排出方向および反排出方向に一定量移動させるスライド手段と、前記保持手段を駆動源で駆動して上下方向に移動させる昇降手段とを備える移動手段と、前記昇降手段に駆動された前記保持手段が下方に移動する過程で用紙に当接したことを検知する用紙検知手段と、を備え、前記駆動源を駆動制御することで、前記保持手段を用紙の排出方向に移動させて前記用紙検知手段が用紙への当接を検知するまで前記保持手段を下方に移動させ、その位置で前記保持手段に最上位の用紙を保持させた状態で当該保持手段を用紙の反排出方向に移動させて保持させた用紙が他の用紙から分離されて重なる位置に位置付け、最上位の用紙の上に次の用紙が載置された後、当該分離される位置で前記保持手段による最上位の用紙の保持を解除させるようにした。従って、保持手段により所定枚数ごとに所定枚数目の用紙を保持することができ、移動手段により用紙を保持した保持手段を反排出方向に一定量移動させ、その用紙をずらして仕分けることができる。
【００１２】
請求項３の発明は、請求項１又は２記載の排紙仕分け装置において、用紙搬送ユニットの下に前記保持手段を配置し、前記最上位の用紙を前記他の用紙から分離される位置に位置付けた後、当該最上位の用紙の上に次の前記用紙が載置された後、前記保持手段による前記最上位の用紙の保持を解除させるようにした。従って、仕分け待機時に保持手段が排紙台上に突出することがない。
【００１３】
請求項２の発明は、請求項１記載の排紙仕分け装置において、排紙台に積載された状態の所定枚数目の用紙の表面に当接する当接手段と、用紙を前記当接手段に吸着させる吸引手段とからなる保持手段を設けた。従って、請求項１の保持手段を簡単に構成することができる。
【００１５】
請求項３の発明は、請求項１記載の排紙仕分け装置において、排紙台に積載された状態の所定枚数目の用紙の表面を引っ掛ける掛止部を一箇所以上有する弾性部材による引っ掛け手段と、前記引っ掛け手段を支持し移動手段に固定する支持部材とからなる保持手段を設けた。従って、請求項１の保持手段を簡単に構成することができる。
【００１６】
請求項４の発明は、請求項１記載の排紙仕分け装置において、排紙台に積載された状態の所定枚数目の用紙の表面を引っ掛ける掛止部を一箇所以上有する剛性部材による引っ掛け手段と、前記引っ掛け手段を用紙の表面に押し付ける方向に付勢するバネ部材と、前記引っ掛け手段を移動手段に対して回動自在に支持する支持部材とからなる保持手段を設けた。従って、請求項１の保持手段を簡単に構成することができる。
【００１７】
請求項５の発明は、請求項３記載の排紙仕分け装置において、引っ掛け手段が支持部材に着脱自在である保持手段を設けた。従って、引っ掛け手段を交換することができる。
【００１８】
請求項６の発明は、請求項３記載の排紙仕分け装置において、用紙が仕分けされたら掛止部から用紙を離す解除手段を備えた保持手段を設けた。従って、用紙を引っ掛け手段から速やかに離反させることができる。
【００１９】
【発明の実施の形態】
本発明の実施の第一の形態について、図１ないし図８に基づいて説明する。また、従来例で示した部分と同一部分は同一符号を用い、説明も省略する。まず、この排紙仕分け装置１０は、用紙搬送ユニット５の下に設けられ、保持手段である吸着保持手段１１と、移動手段１２とからなる。
【００２０】
前記吸着保持手段１１は、図１及び図２に示すように、ダクト１３とケースブラケット１４と軸流ファン１５とガード１６とエアーガイド１７とを順次重ねた吸引手段１８に、当接手段であるパッド１９をネジ２０で止めたものである。前記エアーガイド１７及び前記パッド１９には、孔２１が形成されている。前記パッド１９の片面は、排紙台２２上の所定枚数目の用紙２ａに当接する当接面２３である。この当接面２３は、摩擦抵抗が高い材質であることが望ましい。例えば、シリコンゴム系の、表面の摩擦抵抗が３以上である材質を採用すると、当接面２３と所定枚数目の用紙２ａとのスリップずれが防止できる。また、前記用紙２ａを吸着する際、図２の空間Ｋ内の静圧を維持するために、前記エアーガイド１７及び前記パッド１９を含めた厚みＴを３〜５mmに構成することが望ましい。
【００２１】
次に、前記移動手段１２は、昇降手段２４とスライド手段２５と用紙検知手段２６とからなり、図３ないし図５に示すようなものである。まず、昇降手段２４は以下のようなものである。ベース２７の上に間隙をとってモータブラケット２８が固定され、このモータブラケット２８の上に昇降用駆動モータ２９が設置されている。前記ベース２７と前記モータブラケット２８との間には、前記昇降用駆動モータ２９に連結された昇降用駆動ギヤ３０と、この昇降用駆動ギヤ３０と噛み合う昇降用減速ギヤ３１とが設けられている。
【００２２】
前記ベース２７に、図５において逆コの字型の昇降用軸支持板３２が固定されている。そして、昇降ガイド軸３３が、下部を前記ベース２７に、上部を前記昇降軸支持板３２に固定されている。この昇降ガイド軸３３のすぐ隣りに、送りネジ３４が、やはり下部を前記ベース２７に、上部を前記昇降軸支持板３２に固定されている。この送りネジ３４は、前記ベース２７の下に設けられている昇降ギヤ３５に連結されている。前記昇降ギヤ３５は、前記ベース２７の下に設けられている昇降用連結ギヤ３６を介して、前記昇降用減速ギヤ３１の回転を伝えられる。従って、前記送りネジ３４は、前記昇降用駆動モータ２９の駆動により回転駆動される。
【００２３】
昇降板３７は、昇降ネジ３８と、昇降ガイド軸受３９とを有する。前記昇降ネジ３８は、前記送りネジ３４と噛み合っている。従って、前記昇降板３７は、前記送りネジ３４が回転駆動されることによって、上昇ないし下降する。
【００２４】
前記昇降板３７の上昇ないし下降が滑らかに行われるようガイドするものとして、前記昇降ガイド軸受３９が、前記昇降ガイド軸３３に昇降自在に嵌挿されている。さらに、前記昇降板３７の一端に固定された支軸４０が、回転自在のコロ４１を介して、前記ベース２７に固定された補助ガイド板４２の補助ガイド孔４３に、昇降自在に取り付けられている。
【００２５】
前記昇降用軸支持板３２に上限センサ４４が、前記昇降板３７にシャッタ４５が設けられている。これは、前記昇降板３７が最上位置にあることを検知するものである。
【００２６】
次に、スライド手段２５は以下のようなものである。前記昇降板３７の上には、スライドガイド４６が設けられている。このスライドガイド４６の一辺には検知手段取付部４７が、これと直交する１辺には保持手段取付部４８が形成されている。この保持手段取付部４８には長孔４８ａが形成されており、前記吸着保持手段１１が上下方向に調節可能に取り付けられる。また、前記スライドガイド４６には、長孔４９を有するラックガイド５０が取り付けられている。そして、ガイドピン５１及び座金５２が、前記長孔４９を通して、前記スライドガイド４６及び前記ラックガイド５０を、前記昇降板３７にスライド自在に取り付けている。
【００２７】
また、前記昇降板３７には、前記ラックガイド５０がホームポジションにある図４の状態であることを検知するホームポジションセンサ５３が設けられている。さらに、前記昇降板３７には、図３において二点鎖線で表されるＡ又はＢのように、前記吸着保持手段１１が最も送り出された状態であることを検知するストロークセンサ５４が設けられている。
【００２８】
前記昇降板３７の下には、ステッピングモータ５５が取り付けられている。このステッピングモータ５５は、前記昇降板３７の上に設けられているモータギヤ５６を駆動する。このモータギヤ５６の回転は、スライド用減速ギヤ５７とスライド用連結ギヤ５８とを介して、スライド用駆動ギヤ５９に伝えられる。このスライド用駆動ギヤ５９は、前記ラックガイド５０と噛み合っている。従って、前記スライドガイド４６は、前記ステッピングモータ５５によりスライドされる。
【００２９】
用紙検知手段２６は、図６ないし図７に示すように、センサブラケット６０のセンサブラケット取付面６１で前記検知手段取付部４７に取り付けられている。これは、前記吸着保持手段１１が用紙２に接したことを検知するものである。取り付け方は、センサブラケット取付面６１に形成された長孔６２にネジ止めされており、垂直方向に調整可能である。そして、フィラー６３を有するセンサ６４がセンサブラケット６０の下部に取り付けられている。前記フィラー６３が用紙２に接して、用紙検知位置Ｓまで押し上げられると、前記センサ６４が前記吸着保持手段１１と用紙２とが接したことを検知するものである。
【００３０】
このような構成において、排紙台２２上に用紙２が所定枚数排出されると、まず、スライド手段２５により、吸着保持手段１１が、用紙の排出方向にストロークセンサ５４が検知する位置まで移動される（図３のＡ）。
【００３１】
次に、昇降手段２４により、昇降板３７が下降される。そして、用紙検知手段２６により、積載された所定枚数目の用紙２ａの表面が検知されると、昇降板３７の下降が停止される。このとき、パッド１９の当接面２３は、排紙台２２上に積載されている所定枚数目の用紙２ａに当接している。
【００３２】
次に、吸着保持手段１１の吸引手段１８により、所定枚数目の用紙２ａを吸引し、当接面２３に吸着させる。このとき、排気は図２に示すように、方向を９０度変えているので、次に排出される用紙２ｂを吹き飛ばすことはない。そして、昇降手段２４により、吸着保持手段１１を上昇させ、用紙２ａと積載されている用紙２とを分離させる（図３のＢ）。
【００３３】
次に、スライド手段２５により、吸着保持手段１１を、反排出方向に２０〜３０mm移動させる（図３のＣ）。そして、吸着した状態のまま用紙２ａを、積載されている用紙２に再度重ねる（図３のＤ）。
【００３４】
ここで、用紙２ａの上に新たに用紙２ｂが積載される前に、用紙２ａと当接面２３との吸着状態を解除すると、用紙２ａが、用紙２との間に空気層があるために滑って、位置ずれを起こすことがある。そこで、まず、次の用紙２ｂが用紙２ａの上に積載され、用紙２ａの排紙方向後端側を押さえるのを待ってから、用紙２ａと当接面２３との吸着状態を解除する。こうすると、仕分けされた所定枚数目の用紙２ａの位置ずれを防ぐことができる。
【００３５】
また、図８に示される排紙台２２のように、排紙台２２を傾け、排出された用紙２をエンドフェンス６５に当接させて用紙２を揃えようとするものにおいても、仕分けされた所定枚数目の用紙２ａがエンドフェンス６５の方へ滑るのを防ぐことができる。
【００３６】
次に、スライド手段２５により、吸着保持手段１１を、ホームポジションセンサ５３が検知する位置まで戻す。さらに、昇降手段２４により、昇降板３７を、上限センサ４４がシャッタ４５を検知する位置まで上昇させ、停止させる。そして、次の仕分け作業まで待機する。
【００３７】
この動作を用紙２が所定枚数排出される度に行うと、図８の状態になる。つまり、反排出方向にずらされた所定枚数目の用紙２ａが仕分けの目印となるので、目印用のテープ等を別に用意する必要がなく、また、用紙２の両サイドがサイドフェンス６で支持される排紙台２２においても、確実な仕分けができるものである。
【００３８】
本発明の実施の第二の形態について、図９ないし図１２に基づいて説明する。ここで、第一の形態で示した部分と同一部分は同一符号を用い、説明も省略する（以下の実施の形態でも同様とする）。第二の形態は、保持手段を以下のような引っ掛け保持手段１１ａとしたものである。まず、図９に示すように、前記引っ掛け保持手段１１ａは、支持部材である支持板６６と、弾性部材からなる引っ掛け手段である引っ掛け板６７とからなる。前記引っ掛け板６７は、前記支持板６６に取り付ける引っ掛け板取付面６８と、この引っ掛け板取付面６８と角度θをなす板バネ部６９と、この板バネ部６９の先端に設けられた掛止部である引っ掛け爪７０とを有する。前記板バネ部６９は、厚みが０．１〜０．３mmで、形状復元性を備えている。また、前記フィラー６３が用紙検知位置Ｓまで押し上げられたとき前記引っ掛け爪７０が前記用紙２ａに当接する圧力は、前記用紙検知手段２６の取り付け高さの調節によって設定され、前記用紙２ａに過剰に食い込むことなく、且つ、前記用紙２ａの印刷面を傷つけない程度に設定される。前記支持板６６は、前記保持手段取付部４８に取り付ける支持板取付面７１と、この支持板取付面７１と９０度をなす下面部７２とを有する。前記支持板６６と前記引っ掛け板６７とは、前記引っ掛け板取付面６８と前記下面部７２とをあわせ、取付ネジ７３によって取り付けられている。一方、移動手段には、第一の形態と同じ前記移動手段１２が用いられている。
【００３９】
このような構成において、排紙台２２上に用紙２が所定枚数排出されると、まず、スライド手段２５により、引っ掛け保持手段１１ａが、用紙の排出方向にストロークセンサ５４が検知する位置まで移動される（図１０のＡ）。
【００４０】
次に、昇降手段２４により、昇降板３７が下降される。そして、用紙検知手段２６により、積載された所定枚数目の用紙２ａの表面が検知されると、昇降板３７の下降が停止される。このとき、引っ掛け爪７０は、排紙台２２上に積載されている所定枚数目の用紙２ａに当接している（図１０のＢ）。
【００４１】
次に、スライド手段２５により、少なくとも所定枚数目の用紙２ａを引っ掛けている引っ掛け保持手段１１ａを、反排出方向に２０〜３０mm移動させる（図１０のＣ）。
【００４２】
次に、前述した第一の形態の理由と同様に、用紙２ａが用紙２との間の空気層のために位置ずれすることを防ぐために、用紙２ａの上に新たに用紙２ｂが積載されるのを待った後に、一旦、引っ掛け保持手段１１ａを上方に４０〜５０mm上昇させる。このとき、引っ掛け爪７０は用紙２ａから離れる。その後、スライド手段２５により、引っ掛け保持手段１１ａを、ホームポジションセンサ５３が検知する位置まで戻す。さらに、昇降手段２４により、昇降板３７を、上限センサ４４がシャッタ４５を検知する位置まで上昇させ、停止させる。そして、次の仕分け作業まで待機する。
【００４３】
この動作を用紙２が所定枚数排出される度に行うと、第一の形態同様、図８の状態になる。つまり、所定枚数目の用紙２ａが仕分けの目印となるので、目印用のテープ等を別に用意する必要がなく、また、用紙２の両サイドがサイドフェンス６で支持される排紙台２２においても、確実な仕分けができるものである。
【００４４】
また、本発明の実施の第三の形態としては、図１３に示すように、それぞれに引っ掛け爪７０ａを設けた二枚の板バネ部６９ａを有する引っ掛け板６７ａによる引っ掛け保持手段１１ｂが用いられている。
【００４５】
このような構成によれば、用紙２の紙質が薄い場合に、ベタ黒画像箇所等において、インクにより用紙２が波うった状態になっていても、二つある引っ掛け爪７０ａのいずれかに所定枚数目の用紙２ａが引っ掛かって保持されるので、仕分けがさらに確実となる。ここで、設ける引っ掛け爪７０ａの数は、用紙２の紙質やサイズ等により、適宜設定する。
【００４６】
また、本発明の実施の第四の形態としては、図１４に示すように、剛性部材の引っ掛け板６７ｂによる引っ掛け保持手段１１ｃが用いられている。この引っ掛け板６７ｂは、支持板６６ａの下面部７２ａに平行な面と、角度θをなす面とを持ち、この角度θをなす面の先端に、二つの引っ掛け爪７０ｂが設けられている。この引っ掛け保持手段１１ｃは、支持板６６ａの軸受部７４と、バネ部材であるねじりコイルバネ７５と、前記引っ掛け板６７ｂの軸受７６とに、軸７７を嵌挿し、止め輪７８で前記軸７７を抜け止めしている。そして、前記引っ掛け板６７ｂは、回動を規制する回動ストッパ７９を有している。ここで、設ける引っ掛け爪７０ｂの数は、用紙２の紙質やサイズ等により、適宜設定する。
【００４７】
このような構成によれば、ねじりコイルバネ７５の選択によって、引っ掛け爪７０ｂが所定枚数目の用紙２ａに引っ掛かる力を調節できる。また、用紙２が、インクにより波うった状態になっていても、二つある引っ掛け爪７０ｂのいずれかに所定枚数目の用紙２ａが引っ掛かって保持されるので、仕分けがさらに確実となる。
【００４８】
また、本発明の実施の第五の形態としては、図１５に示すように、第三の形態の引っ掛け保持手段１１ｂに、さらに解除手段である解除バネ板８０を設けた引っ掛け保持手段１１ｄが用いられている。前記解除バネ板８０は、引っ掛け板６７ａに取り付ける解除バネ板取付面８１と、形状復元性を備えた解除バネ部８２と、この解除バネ部８２の先端に設けられた用紙受け面８３と、支持板６６のストッパ受け面８４に接するストッパ８５とを有する。ここでも、第三の形態と同様に、引っ掛け爪７０ａの数は、用紙２の紙質やサイズ等により、適宜設定する。
【００４９】
このような構成によれば、用紙受け面８３が用紙２の紙面から外れると、解除バネ部８２の形状復元性によって、引っ掛け爪７０ａと用紙受け面８３とのギャップ量Ｇだけ戻るので、引っ掛け爪７０ａから用紙２ａが速やかに離れる。従って、用紙２の紙質が薄いとき、ベタ黒画像箇所等でインクにより用紙２が軟化し、引っ掛け爪７０ａが用紙２ａに食いついたような場合でも、引っ掛け爪７０ａと用紙２ａとを速やかに離反させることができる。
【００５０】
また、本発明の実施の第六の形態としては、図１６に示すように、支持板６６ｂと、この支持板６６ｂに着脱可能な爪ケーシング８６とからなる引っ掛け保持手段１１ｅが用いられている。保持手段取付部４８に取り付けられる前記支持板６６ｂは、加圧バネ受け孔８７と突部受け孔８８とを有する。前記爪ケーシング８６は、ケーシング８９と、引っ掛け板６７ｃと、解除バネ板８０ａとを順次重ねたものである。前記ケーシング８９は、つまみ部９０と加圧バネ９１とを有する。前記解除バネ板８０ａの前記引っ掛け板６７ｃに接着された面の反対側の面には、抜け止め段差９２を有する突部９３が設けられている。そして、前記爪ケーシング８６は、前記加圧バネ９１を前記加圧バネ受け孔８７に、前記突部９３を前記突部受け孔８８に嵌める。すると、前記加圧バネ９１の加圧によって、前記抜け止め段差９２に前記突部受け孔８８の縁が係合する。ここでも、第三の形態と同様に、引っ掛け爪７０ａの数は、用紙２の紙質やサイズ等により、適宜設定する。
【００５１】
このような構成によれば、爪ケーシング８６が着脱自在になるので、用紙２の紙質や用紙サイズ等に応じて板バネ部６９ａや引っ掛け爪７０ａを選択したり、また、引っ掛け爪７０ａが摩耗したときに交換することが容易になる。
【００５２】
【発明の効果】
請求項１の発明によれば、保持手段により所定枚数ごとに所定枚数目の用紙を保持し、移動手段により用紙を保持した保持手段を反排出方向に一定量移動させてその用紙をずらして仕分けることができるため、テープを挾んだり排紙台を移動させたりすることなく、引き出された用紙を目印として所定枚数ごとの仕分けを確実に行うことができるという効果を有する。
【００５４】
請求項３の発明によれば、仕分け待機時に保持手段が排紙台上に突出することがないため、仕分け待機時の用紙の積載を妨げず、また、排紙台側に排紙仕分け装置用のスペースが不要であり、排紙台を小スペース化することができるという効果を有する。
【００５５】
請求項２の発明によれば、請求項１の保持手段を簡単に構成して用紙を吸着保持することができるという効果を有する。
【００５７】
請求項３の発明によれば、請求項１の保持手段を簡単に構成して用紙を引っ掛け保持することができるという効果を有する。
【００５８】
請求項４の発明によれば、請求項１の保持手段を簡単に構成して用紙を引っ掛け保持することができるという効果を有する。
【００５９】
請求項５の発明によれば、引っ掛け手段を交換することができるため、用紙の紙質やサイズ等に合った引っ掛け手段を選択することができ、また、引っ掛け手段が摩耗したときなどにも取り替えることができるという効果を有する。
【００６０】
請求項６の発明によれば、用紙を引っ掛け手段から速やかに離反させることができるという効果を有する。
【図面の簡単な説明】
【図１】本発明の実施の第一の形態の吸着保持手段の構成を示す分解斜視図である。
【図２】本発明の実施の第一の形態の吸着保持手段の作動中の様子を示す縦断正面図である。
【図３】（ａ）は吸着保持手段を取り付けた移動手段の構成と作動中の様子とを示す正面図、（ｂ）は移動手段の一部の構成を示す右側面図である。
【図４】吸着保持手段を取り付けた移動手段の構成を示す平面図である。
【図５】吸着保持手段を取り付けた移動手段の構成を示す左側面図である。
【図６】吸着保持手段と用紙検知手段との位置関係を示す左側面図である。
【図７】吸着保持手段と用紙検知手段との位置関係を示す正面図である。
【図８】本発明の排紙仕分け装置により仕分け積載された後の排紙台の様子を示す正面図である。
【図９】（ａ）は本発明の実施の第二の形態の引っ掛け保持手段の構成を示す分解斜視図、（ｂ）は引っ掛け保持手段と用紙検知手段との位置関係を示す左側面図、（ｃ）は作動中の様子を示す正面図である。
【図１０】（ａ）は引っ掛け保持手段を取り付けた移動手段の構成と作動中の様子とを示す正面図、（ｂ）は移動手段の一部の構成を示す右側面図である。
【図１１】引っ掛け保持手段を取り付けた移動手段の構成を示す平面図である。
【図１２】引っ掛け保持手段を取り付けた移動手段の構成を示す左側面図である。
【図１３】（ａ）は本発明の実施の第三の形態の引っ掛け保持手段の構成を示す分解斜視図、（ｂ）及び（ｃ）は引っ掛け保持手段と用紙検知手段との位置関係及び作動中の様子を示し、（ｂ）は左側面図、（ｃ）は正面図である。
【図１４】本発明の実施の第四の形態の引っ掛け保持手段の構成を示す分解斜視図である。
【図１５】（ａ）は本発明の実施の第五の形態の引っ掛け保持手段の構成を示す分解斜視図、（ｂ）及び（ｃ）は作動中の様子を示す正面図である。
【図１６】本発明の実施の第六の形態の引っ掛け保持手段の構成を示す縦断正面図である。
【図１７】従来の排紙仕分け装置を示す左側面図である。
【図１８】図１７と同じ排紙仕分け装置を示す左側面図である。
【図１９】従来の排紙積載装置を示す斜視図である。
【図２０】従来のソーター装置を示す正面図である。
【符号の説明】
２          用紙
２ａ          所定枚数目の用紙
５          用紙搬送ユニット
１０          排紙仕分け装置
１１，１１ａ，１１ｂ，１１ｃ，１１ｄ，１１ｅ  保持手段
１２          移動手段
１８          吸引手段
１９          当接手段
２２          排紙台
２４          昇降手段
２５          スライド手段
２６          用紙検知手段
６６，６６ａ，６６ｂ  支持部材
６７，６７ａ，６７ｂ，６７ｃ  引っ掛け手段
７０，７０ａ，７０ｂ  掛止部
７５          バネ部材
８０，８０ａ  解除手段
【図１】
0004105250.tif 000002
【図２】
0004105250.tif 000003
【図３】
0004105250.tif 000004
【図４】
0004105250.tif 000005
【図５】
0004105250.tif 000006
【図６】
0004105250.tif 000007
【図７】
0004105250.tif 000008
【図８】
0004105250.tif 000009
【図９】
0004105250.tif 000010
【図１０】
0004105250.tif 000011
【図１１】
0004105250.tif 000012
【図１２】
0004105250.tif 000013
【図１３】
0004105250.tif 000014
【図１４】
0004105250.tif 000015
【図１５】
0004105250.tif 000016
【図１６】
0004105250.tif 000017
【図１７】
0004105250.tif 000018
【図１８】
0004105250.tif 000019
【図１９】
0004105250.tif 000020
【図２０】
0004105250.tif 000021